(57)【特許請求の範囲】
【請求項１】
歯根管を清浄化／成形するための歯内治療用器具であって：
多孔性材料で構成された細長い軸を含み、該細長い軸は、
近位端部分と
遠位端と、
外面および回転軸を有するテーパ形の加工部分とを有し、該加工部分は、近位端部分から遠位端へ延び、中間部分および遠位端部分を含み、該中間部分は、開口部および格子型の構造体を画成する少なくとも２つの螺旋状の切れ刃を含み、該中間部分は中空であり、少なくとも２つの切れ刃の間に延びる内部支持体をさらに含み、
該多孔性材料は、２０％〜６５％の範囲の多孔度を有し、かつ該テーパ形の加工部分の切れ刃および／または内部支持体は、５０ミクロン〜６００ミクロンの範囲の厚さを有する、前記歯内治療用器具。
【請求項２】
多孔性材料は、ニチノールベースの材料、銅ベースの材料、チタンベースの材料およびステンレス鋼ベースの材料からなる群から選択される多孔性金属である、請求項１に記載の歯内治療用器具。
【請求項３】
回転軸と交わる断面の質量中心（重心）が回転軸に位置するように中心に定められた回転軸を有する、請求項１または２に記載の歯内治療用器具。
【請求項４】
質量中心（重心）が回転軸に位置しないような回転軸を有する、請求項１または２に記載の歯内治療用器具。
【請求項５】
加工部分の遠位端部分の外面は複数の縦溝を含む、請求項１〜４のいずれか１項に記載の歯内治療用器具。
【請求項６】
加工部分の外面には縦溝がない、請求項１〜４のいずれか１項に記載の歯内治療用器具。
【請求項７】
多孔性材料でコーティングされる、請求項１〜６のいずれか１項に記載の歯内治療用器具。
【請求項８】
コーティングされる多孔性材料は、ニチノールベースの材料、銅ベースの材料、チタンベースの材料およびステンレス鋼ベースの材料からなる群から選択される、請求項７に記載の歯内治療用器具。
【請求項９】
歯根管を清浄化／成形するための歯内治療用器具であって：
近位端部分と遠位端と、外面および回転軸を有するテーパ形の加工部分とを有する細長い軸を含み、加工部分は、近位端部分から遠位端へ延び、中間部分および遠位端部分を含み、該中間部分は、開口部および格子型の構造体を画成する少なくとも２つの螺旋状の切れ刃を含み、該中間部分は中空であり、少なくとも２つの切れ刃の間に延びる内部支持体をさらに含み；
軸の加工部分の外面は、複数の少なくとも２つの縦溝、および幾何学的な断面を有し、該器具が多孔性材料でコーティングされており、
該多孔性材料は、２０％〜６５％の範囲の多孔度を有し、かつ該テーパ形の加工部分の切れ刃および／または内部支持体は、５０ミクロン〜６００ミクロンの範囲の厚さを有する、前記歯内治療用器具。
【請求項１０】
多孔性材料は、ニチノールベースの材料、銅ベースの材料、チタンベースの材料およびステンレス鋼ベースの材料からなる群から選択される多孔性金属である、請求項９に記載の歯内治療用器具。
【請求項１１】
回転軸と交わる断面において質量中心が回転軸に位置するように中心に置かれた回転軸をさらに含む、請求項９または１０に記載の歯内治療用器具。
【請求項１２】
質量中心が回転軸のまわりに位置しないような回転軸をさらに含む、請求項９または１０に記載の歯内治療用器具。
【請求項１３】
回転可能な歯内治療用器具である、請求項１〜１２のいずれか１項に記載の歯内治療用器具。
【請求項１４】
往復運動する歯内治療用器具である、請求項１〜１３のいずれか１項に記載の歯内治療用器具。
【請求項１５】
多孔性材料は、高温、低温および／もしくはひずみによって処理される、請求項１〜１４のいずれか１項に記載の歯内治療用器具。
【請求項１６】
多孔性材料は２０％〜６５％の範囲の多孔度を有する、請求項９〜１５のいずれか１項に記載の歯内治療用器具。
【請求項１７】
歯内治療用器具を形成する方法であって：
多孔性材料を提供する工程と；
歯内治療用器具を形成するための多孔性材料の成形工程であって、歯内治療用器具は、近位端部分と、遠位端と、外面および回転軸を有するテーパ形の加工部分とを有し、加工部分は、近位端部分から遠位端へ延び、中間部分および遠位端部分を含み、該中間部分は、開口部および格子型の構造体を画成する少なくとも２つの螺旋状の切れ刃を含み、該中間部分は中空であり、少なくとも２つの切れ刃の間に延びる内部支持体をさらに含む、工程と
を含み、
該多孔性材料は、２０％〜６５％の範囲の多孔度を有し、かつ該テーパ形の加工部分の切れ刃および／または内部支持体は、５０ミクロン〜６００ミクロンの範囲の厚さを有する、前記方法。
【請求項１８】
多孔性材料は、ニチノールベースの材料、銅ベースの材料、チタンベースの材料およびステンレス鋼ベースの材料からなる群から選択される多孔性金属である、請求項１７に記載の方法。
【請求項１９】
成形工程は、研削工程、付加製造工程、３次元印刷工程、エッチング工程およびそれらの組み合わせからなる群から選択される、請求項１７または１８に記載の方法。
【請求項２０】
加工部分の遠位端部分は複数の縦溝を含む、請求項１７に記載の方法。
【請求項２１】
複数の縦溝は連続的な螺旋形の縦溝である、請求項２０に記載の方法。
【請求項２２】
加工部分には縦溝がない、請求項１７に記載の方法。
【請求項２３】
外面の少なくとも一部を多孔性コーティングでコーティングする工程をさらに含む、請求項１７に記載の方法。
【請求項２４】
多孔性コーティングは、ニチノールベースの材料、銅ベースの材料、チタンベースの材料およびステンレス鋼ベースの材料からなる群から選択される多孔性金属である、請求項２３に記載の方法。
【請求項２５】
成形工程は、ひずみの下で多孔性材料を加工して歯内治療用器具を形成することを含む、請求項１７に記載の方法。
【請求項２６】
成形された歯内治療用器具を熱処理および／もしくは焼き入れする工程をさらに含む、請求項１７に記載の方法。
【発明の詳細な説明】
【技術分野】
【０００１】
関連出願
本特許出願は、すべての目的のために参照によって本明細書に組み入れる、２０１３年１１月２１日に出願した米国仮特許出願第６１／９０６，６８８号の利益および優先権を主張するものである。
【０００２】
本発明は、歯内治療用器具（ｅｎｄｏｄｏｎｔｉｃ  ｉｎｓｔｒｕｍｅｎｔ）に関し、より詳細には、多孔性材料から形成された器具および／またはコーティングに関する。
【背景技術】
【０００３】
歯内治療用器具は、人の歯の歯根管系（ｒｏｏｔ  ｃａｎａｌ  ｓｙｓｔｅｍ）としても知られる歯内治療用窩洞空間（「ＥＣＳ」：ｅｎｄｏｄｏｎｔｉｃ  ｃａｖｉｔｙ  ｓｐａｃｅ）を清浄化および拡張するために用いることができる。未処置の歯根管は、通常は歯根（ｒｏｏｔ  ｏｆ  ｔｏｏｔｈ）の中央部分を通って延びる狭い経路である。健康な歯ではその空間を占める組織である歯髄（ｄｅｎｔａｌ  ｐｕｌｐ）が死ぬことまたはその壊死によって、ＥＣＳの清浄化および拡張が必要になる場合がある。この組織は、虫歯（ｔｏｏｔｈ  ｄｅｃａｙ）、歯の深い修復、完全もしくは不完全な歯骨折（ｄｅｎｔａｌ  ｆｒａｃｔｕｒｅ）、外傷、または通常は加齢現象に伴う組織の石灰化（ｃａｌｃｉｆｉｃａｔｉｏｎ）および虚血（ｉｓｃｈｅｍｉａ）による自然壊死を含む、複数の理由によって衰える可能性がある。壊死性または壊疽性の虫垂（ａｐｐｅｎｄｉｘ）と同様に、緊急ではない場合も、後で感染症もしくは歯性膿瘍（ｄｅｎｔａｌ  ａｂｓｃｅｓｓ）、敗血症（ｓｅｐｔｉｃｅｍｉａ）などが発生するため、この組織の完全な除去が重要である。
【０００４】
人の歯の歯根管系は、狭く、湾曲し、石灰化していることがしばしばであり、通り抜ける、または清浄化することがきわめて難しい場合がある。実際には、現在利用可能な従来型の歯内治療用または歯根管用の器具は、歯髄の完全な除去およびＥＣＳの効果的な拡張には不適切であることがしばしばである。さらに、それらは通常は破損しやすく、さらに歯を破壊する。壊れた器具を取り除くことは、不可能でないとしても通常は困難であり、しばしば歯の除去が必要になる。ＥＣＳの自然な解剖学的構造を直截的に穿孔または変更することによって起こる歯の損傷が、歯根管の欠損または歯の喪失につながる可能性もある。
【０００５】
未処置の歯根管は、通常は狭く、相対的に平行な経路として始まる。侵入門戸（ｐｏｒｔａｌ  ｏｆ  ｅｎｔｒｙ）またはオリフィス、および排泄門戸（ｐｏｒｔａｌ  ｏｆ  ｅｘｉｔ）または孔の直径は、相対的に等しい。歯管の完全な清浄化および充填に対応し、さらなる感染症を予防するためには、通常は歯管を準備しなければならない。歯内治療用窩洞形成（「ＥＣＰ」：ｅｎｄｏｄｏｎｔｉｃ  ｃａｖｉｔｙ  ｐｒｅｐａｒａｔｉｏｎ）は、一般に、孔を比較的小さく残しながら、歯管のオリフィスおよび本体を漸次拡張することを含む。結果として、通常は連続的な円錐形の処置部（ｐｒｅｐａｒａｔｉｏｎ）が得られる。
【０００６】
一般に、前述のように、歯内治療用器具を用いて歯内治療用窩洞空間を準備する。歯内治療用器具は、手用器具（ｈａｎｄ  ｉｎｓｔｒｕｍｅｎｔ）およびエンジン駆動器具（ｅｎｇｉｎｅ  ｄｒｉｖｅｎ  ｉｎｓｔｒｕｍｅｎｔ）を含むことができる。エンジン駆動器具は、回転式器具である必要がない場合もある。従来型の手用器具とエンジン駆動の回転式器具の両方の組み合わせは、通常は首尾よく安全にＥＣＰを実施するために必要とされる。
【０００７】
歯内治療用器具は、先端（ｔｉｐ）およびシャンク（ｓｈａｎｋ）を有する軸を含む。歯内治療用器具は、軸のまわりで全体的に螺旋形になった溝も含む。図１および図１の歯内治療用器具の断面図である図２に示すように、本明細書では溝を縦溝（ｆｌｕｔｅ）と呼ぶ。
【０００８】
図１〜２を参照すると、全体として１０で示す歯内治療用器具（たとえば、歯内治療用ファイル（ｆｉｌｅ））は軸１２を有し、軸１２は、その長部の少なくとも一部１５に沿ってテーパが付けられ、先端１４で終わる。シャンクのテーパ部分より上の部分は、実質的に円筒形であるように示されている。軸１２のテーパ部分１５に螺旋形の縦溝（ｈｅｌｉｃａｌ  ｆｌｕｔｅ）１６が形成され、螺旋形の切れ刃（ｃｕｔｔｉｎｇ  ｅｄｇｅ）２０を画成する。
【０００９】
縦溝は全体的に、軸のまわりで螺旋形になった螺旋構造体（螺旋体）の両側の間隔である。本明細書では、直線または曲線のように見える縦溝の底部をスプライン２２と呼ぶ。本明細書では、スプラインの切削中に切削される面と接触する部分を半径方向領域（ｒａｄｉａｌ  ｌａｎｄ）２４と呼ぶ。一般的に、右手用の切れ刃を有する器具は、シャンクから先端１４を見たとき、時計回りに回転させると材料を切削または除去するものである。本明細書では、回転方向は、シャンクから器具の先端を見たものとして述べる。右手用の歯内治療用器具の場合、切削の回転方向は時計回りである。左手用の切れ刃を有する器具は、反時計回りに回転させると材料を切削または除去するものである。この場合、切削の回転方向は反時計回りである。器具は、往復運動すること、または前後に動き、右手用もしくは左手用の縦溝を有することも可能である。一般的に、往復運動する歯内治療用器具は、一方の方向において他方より大きく動くようになっており、歯内治療用器具のきき手は、より大きい回転角度に関連付けられる。
【００１０】
歯内治療用器具は、材料を切削または除去することが可能な部分である加工部分（ｗｏｒｋｉｎｇ  ｐｏｒｔｉｏｎ）２６を含む。加工部分は、通常は器具の先端１４と縦溝の近位端部分２８との間にある、軸に沿った部分である。本明細書では加工部分を切削部分とも呼び、加工する長さを切削長さまたは加工長さと呼ぶ。
【００１１】
手用器具は、通常は様々なサイズの金属ワイヤブランクから製造される。こうしたワイヤの冶金的特性は、一般に広範囲の物理特性をもたらすように設計される。その場合、こうしたワイヤは、通常は特定の形状および形式をもたらすようにねじられる、または切削される。手用器具の例は、Ｋ型、Ｈ型およびＲ型の手用器具を含む。バーブ付きブローチ（ｂａｒｂｅｄ  ｂｒｏａｃｈ）は、テーパおよびノッチが付けられた軟鉄のワイヤから、その表面に沿ってバーブまたは目の粗いやすり（ｒａｓｐ）を形成するように製造される。こうした器具は、一般に歯根管系からの歯髄組織または破片の肉眼での除去（ｇｒｏｓｓ  ｒｅｍｏｖａｌ）に用いられる。もう１つのＲ型ファイルは、細長いファイル（ｒａｔ−ｔａｉｌ  ｆｉｌｅ）である。
【００１２】
現在使用されているＫ型器具は、リーマおよびＫファイルを含む。Ｋファイルは、一般に炭素鋼、ステンレス鋼、より最近ではニッケル−チタンの合金として入手可能である。Ｋ型器具を製造するには、通常は様々な直径の丸いワイヤを３面または４面の角錐形のブランクに研削し、次いで適切な形状になるように回転させる、またはねじる。こうした形状は、米国規格協会（「ＡＮＳＩ」）および国際標準化機構（「ＩＳＯ」）によって規定および管理されている。リーマとファイルの製造プロセスは同様である；しかしながら、ファイルの方が、通常は単位長さあたりの縦溝の数がリーマより多いことを除く。リーマは、回転方向においてのみ使用されるが、ファイルは、回転または押し引きする形で使用することができる。３面または三角形のブランクから作られたファイルは、４面のブランクから作られたファイルより断面積が小さい。したがって、こうした器具は、通常はより可撓性が高く、破損する可能性が小さい。それらはまた、より大きいクリアランス角度を示し、創面切除（ｄｅｂｒｉｄｅｍｅｎｔ）の間、より効率的である。したがって、三角形のファイルは、一般に手用器具の使用により望ましいと考えられる。
【００１３】
Ｈ型ファイルは、通常は縦溝をテーパ形の丸い金属ブランクに研削し、一連の交差する錐面を形成することによって製造される。Ｈ型ファイルは、通常は引張り方向（すなわち、引張り行程）でしか切削することができない。Ｈ型ファイルは、主に正の切削角を有するため、きわめて効率的な切削器具となり得る。
【００１４】
手用器具は通常、器具の加工部分の長さが１６ｍｍであることを規定する、ＡＮＳＩおよびＩＳＯのガイドラインに従って製造される。ＡＮＳＩおよびＩＳＯはさらに、器具の第１の直径またはＤ１が先端またはＤ０から１ｍｍであることを規定している。他のＡＮＳＩおよびＩＳＯの規格は：器具が加工部分の長さに沿って１ｍｍあたり０．０２ｍｍの標準規格のテーパを有すること；先端が直線断面において７５度以下の角錐形状を維持すること；ならびに手用器具が、２１、２５および３１ｍｍの長さで利用可能であることを求めている。
【００１５】
前述の手用器具に加えて、通常はモータ駆動である回転式器具がある。Ｇ型ドリルは、通常は炭素鋼またはステンレス鋼として入手可能である。通常のように、示されるＧ型ドリル３００は、長いシャンクに取り付けられた短い火炎形の頭部を含む。この例では、縦溝はＵ字形のスプラインを有する。器具は、負のすくい角（ｒａｋｅ−ａｎｇｌｅ）を有する切れ刃を含む。一般に、すくい角は、切削工具の前縁と切削される面に対する垂直面との間の角度である。すくい角について、以下にさらに詳しく記載する。火炎形の頭部は、穿孔を防止する非切削面を含む。器具は側面切削用の器具としてのみ使用することができる。器具は比較的剛性があり、したがって、通常は湾曲した空間、たとえばＥＣＳで使用することができない。
【発明の概要】
【課題を解決するための手段】
【００１６】
本発明は、改善された歯内治療用器具および／または歯内治療用器具を製造する方法を提供することによって、従来の歯内治療用器具を改善しようとするものである。一態様において、本発明は、歯根管を清浄化／成形するための歯内治療用器具であって：多孔性材料で構成された細長い軸を含み、細長い軸は、近位端部分と遠位端と、外面および回転軸を有するテーパ形の加工部分とを有し、加工部分は、近位端部分から遠位端へ延びる歯内治療用器具を提供する。
【００１７】
他の態様において、本発明は、歯根管を清浄化／成形するための歯内治療用器具であって：近位端部分と遠位端と、外面および回転軸を有するテーパ形の加工部分とを有する細長い軸を含み、加工部分は、近位端部分から遠位端へ延び；軸の加工部分の外面が、複数の少なくとも２つの縦溝、および器具が多孔性金属でコーティングされた幾何学的な断面を有する、歯内治療用器具を企図している。
【００１８】
他の態様において、本発明は、歯内治療用器具を形成する方法であって：約１５％〜約９０％の範囲の多孔度を有する多孔性材料を提供する工程と；多孔性材料を成形して歯内治療用器具を形成する工程であって、歯内治療用器具が、近位端部分と、遠位端と、外面および回転軸を有するテーパ形の加工部分とを有し、加工部分は、近位端部分から遠位端へ延びる、工程とを含む方法を企図している。
【００１９】
さらに別の態様において、本発明の態様のいずれも、以下の特徴の１つまたは任意の組み合わせによってさらに特徴付けることができ、その特徴は：多孔性材料が、ニチノールベースの材料、銅ベースの材料、チタンベースの材料およびステンレス鋼ベースの材料からなる群から選択される多孔性金属である；断面の質量中心（ｃｅｎｔｅｒ  ｏｆ  ｍａｓｓ）（重心（ｃｅｎｔｒｏｉｄ））が回転軸に位置するように、器具が中心に定められた回転軸を有する；質量中心（重心）が回転軸に位置しないように、器具が非対称である回転軸を有する；加工部分の外面が複数の縦溝を含む；加工部分の外面に縦溝がない；器具が多孔性材料でコーティングされる；コーティングされる多孔性材料が、ニチノールベースの材料、銅ベースの材料、チタンベースの材料およびステンレス鋼ベースの材料からなる群から選択される；歯内治療用器具が回転可能な歯内治療用器具である；歯内治療用器具が往復運動する歯内治療用器具である；多孔性材料が、高温、低温および／もしくはひずみによって処理される；成形工程が、研削工程、付加製造（ａｄｄｉｔｉｖｅ  ｍａｎｕｆａｃｔｕｒｉｎｇ）工程、３次元印刷工程、エッチング工程およびそれらの組み合わせからなる群から選択される；加工部分が複数の縦溝を含む；複数の縦溝が連続的な螺旋形の縦溝である；加工部分に縦溝がない；外面の少なくとも一部を多孔性コーティングでコーティングする工程をさらに含む；多孔性コーティングが、ニチノールベースの材料、銅ベースの材料、チタンベースの材料およびステンレス鋼ベースの材料からなる群から選択される多孔性材料である；成形工程が、ひずみの下で多孔性材料を加工して歯内治療用器具を形成することを含む；成形された歯内治療用器具を熱処理および／もしくは焼き入れする工程をさらに含む；またはそれらの任意の組み合わせである。
【００２０】
本明細書に図示および記載するように、本発明と共に他のものも存在するため、これまでに参照した態様および例は非限定的なものであることを理解されたい。たとえば、本明細書に記載し、図面などで説明するように、前述の本発明の態様または特徴の任意のものを組み合わせて、他の独自の構成を形成することが可能である。
【００２１】
本発明の新規な特徴については、添付の特許請求の範囲において詳細に記載される。しかしながら、本発明自体は、本発明のさらなる目的および利点と共に構成および操作方法の両方に関して、添付図面と併せて取り上げる以下の説明を参照することによって最もよく理解することができる。
【図面の簡単な説明】
【００２２】
【図１】典型的な歯内治療用器具の斜視図である。
【図２】図１に示す歯内治療用器具の断面斜視図である。
【図３】本発明の少なくとも１つの例示的な実施形態による多孔性の開始構造体（ｓｔａｒｔｉｎｇ  ｓｔｒｕｃｔｕｒｅ）の上面図である。
【図４】図３に示す少なくとも１つの例示的な実施形態のＡ−Ａを横断して得られる断面の拡大斜視図である。
【図５】本発明の少なくとも１つの例示的な実施形態による、図３の多孔性の開始事前構造体（ｓｔａｒｔｉｎｇ  ｐｒｅ−ｓｔｒｕｃｔｕｒｅ）から成形された歯内治療用器具の上面図である。
【図６】本発明の少なくとも１つの例示的な実施形態による歯内治療用器具の斜視図である。
【図７】図６に示す少なくとも１つの例示的な実施形態の拡大斜視図である。
【図８】本発明の少なくとももう１つの例示的な実施形態による歯内治療用器具の斜視図である。
【図９】図８に示す少なくとももう１つの例示的な実施形態の拡大斜視図である。
【図１０】本発明の少なくともさらにもう１つの例示的な実施形態による開始材料の斜視図である。
【図１１】図１０に示す少なくともさらにもう１つの例示的な実施形態の拡大斜視図である。
【図１２】本発明の少なくも２つの他の例示的な実施形態の上面図である。
【発明を実施するための形態】
【００２３】
歯内治療用器具の場合、治療の標準（ｓｔａｎｄａｒｄ  ｆｏｒ  ｃａｒｅ）は、モータ駆動の回転式ファイルまたは往復運動するモータ駆動のファイルである。歯内治療用器具（たとえば、歯内治療用ファイル）を設計するときには、多くの制限を克服する必要がある。特に、ＲＣＴ中の歯内治療用器具の尖端（ａｐｅｘ）から歯内治療用器具の歯冠側（ｃｏｒｏｎａｌ  ａｓｐｅｃｔ）への生物学的な破片の動きである。破片の輸送が制限される場合、歯内治療用器具は、効率が下がる、つかえた状態になる、棚状の突起になる（ｌｅｄｇｅ）、または折れる可能性がある。生物学的な破片が効率的に輸送されない場合、それによってスメア層（ｓｍｅａｒ  ｌａｙｅｒ）の量が増える可能性がある。スメア層は、ＲＣＴの間に歯内治療用器具と歯管の壁との間の力によって、歯内治療用器具を介して象牙質の壁に「コーティングされる」生物学的な破片である。スメア層は除去が難しい。スメア層が適切に除去されない場合、それがＲＣＴの失敗／ＲＣＴの再処置につながる可能性がある。現在の回転式歯内治療用器具は、主にニチノールで構成される。典型的な歯内治療用ファイルは、ＲＣＴの間に生体組織をこすって除去する螺旋状のフィーチャを有する。設計およびファイルの効率は、螺旋が接触する表面積によって制限される。ニチノールは比較的丈夫であるが、サイクル疲労、可撓性またはピークトルクのような歯内治療用ファイルの特性につながる設計および材料特性に関して制限があり、それらは改善される可能性がある。最後に、歯内治療用ファイルが歯管の中で折れ、除去することができないとき、歯根の尖端は生体適合性ニチノールを含むようになるが、尖端はまわりの歯根領域に対して開いた状態のままになる可能性がある。
【００２４】
本発明は、たとえば、ニチノールまたはニチノール誘導体（ＮｉＴｉＣｒ、ＮｉＴｉＣｏ、ＮｉＴｉＦｅもしくはＮｉＴｉＸ、ここで、Ｘは第３以降の元素である）、銅ベースの材料（たとえば、ＣｕＺｎＡｌもしくはＣｕＡｌＮｉ）、ステンレス鋼および他のチタン誘導体など、少なくとも１つの多孔性金属で構成された歯内治療用器具を開示する。歯内治療用器具は、歯内治療用器具の体積全体を多孔性ニチノールで構成することができる。歯内治療用器具を、同様のもしくは様々な深さの複数の開口部を含む構造／設計を有する多孔性材料または非多孔性材料で形成することができ、複数の開口部の１つまたはそれ以上が、多孔性材料または非多孔性材料である１つまたはそれ以上の第２の材料を含むことができることを理解されたい。含まれるとき、全体的に対称な歯内治療用器具の設計物の回転軸に沿った重量配分を変え、歯内治療用器具の回転または往復運動の間、全体的に対称な器具の断面に関して、質量中心（重心）が回転軸に位置しないようにすることができると考えられる。さらに、歯内治療用器具に関して、加工部分全体に沿ってまたは加工部分全体を通して可変的に、半径方向および／または長手方向の所定の位置／場所における歯内治療用器具の可撓性を変えるように、歯内治療用器具内の加工部分全体にわたって、またはその１つもしくはそれ以上の部分の範囲内で、複数の多孔性材料、非多孔性材料または両方の材料の組み合わせを含むことにより可撓性を最適化することができる。
【００２５】
歯内治療用器具は、螺旋状の設計を有すること、および／または螺旋状の設計を伴わない円錐形とすること、および／または可変のテーパを有することが可能である。多孔性ニチノールは、歯内治療用器具の表面上の薄いフィルムコーティングとすることができる。歯内治療用器具は、螺旋を含むこと、および／または螺旋を伴わない円錐形の設計とすること、および／または可変のテーパを有することが可能である。
【００２６】
歯内治療用器具は、ミクロン単位の厚さの多孔性ニチノールのコーティングで構成することもできる。多孔性材料（たとえば、ニチノール材料）は、（たとえば、歯内治療用ファイルの表面上の）少なくとも約０．０５ミクロン（たとえば、０．２５ミクロン）、典型的には少なくとも約０．５ミクロン、好ましくは少なくとも約１ミクロンの厚さのフィルムコーティングとすることができる。さらに、多孔性材料は、約５００ミクロン未満（たとえば、２５０ミクロン）、典型的には約１００ミクロン未満、好ましくは約５０ミクロン未満、より好ましくは１５ミクロン未満の厚さのフィルムコーティングとすることが可能であることを理解されたい。たとえば、多孔性材料は、約０．０５ミクロン〜約５００ミクロン（たとえば、約０．２５ミクロン〜約２５０ミクロン）、典型的には約０．５ミクロン〜約１００ミクロン、好ましくは約１ミクロン〜約５０ミクロンの厚さのフィルムコーティングの範囲で提供することができる。
【００２７】
当技術分野で知られている様々な手順を用いて、コーティングされた多孔体を、多孔性の開始構造体および／または歯内治療用器具に形成および／または適用することが可能であることを理解されたい。多孔性の開始構造体および／または歯内治療用器具に多孔性コーティングを形成および／または適用する手順の例は、それだけに限らないが、医療用のエポキシ／接着剤、従来型の焼結（ＣＳ：ｃｏｎｖｅｎｔｉｏｎａｌ  ｓｉｎｔｅｒｉｎｇ）、レーザ溶接、レーザ溶融、選択的レーザ溶融（ＳＬＭ：ｓｅｌｅｃｔｉｖｅ  ｌａｓｅｒ  ｍｅｌｔｉｎｇ）、レーザ焼結、選択的レーザ焼結（ＳＬＳ：ｓｅｌｅｃｔｉｖｅ  ｌａｓｅｒ  ｓｉｎｔｅｒｉｎｇ）、自己伝搬高温合成（ＳＨＳ：ｓｅｌｆ−ｐｒｏｐａｇａｔｉｎｇ  ｈｉｇｈ−ｔｅｍｐｅｒａｔｕｒｅ  ｓｙｎｔｈｅｓｉｓ）、放電焼結（ＳＰＳ：ｓｐａｒｋ  ｐｌａｓｍａ  ｓｉｎｔｅｒｉｎｇ）、ホットアイソスタティック成形（ＨＩＰ：ｈｏｔ  ｉｓｏｓｔａｔｉｃ  ｐｒｅｓｓｉｎｇ）、カプセルフリーＨＩＰ（ＣＦ−ＨＩＰ：ｃａｐｓｕｌｅ  ｆｒｅｅ  ＨＩＰ）、レーザマイクロ穴パンチ（ｌａｓｅｒ  ｍｉｃｒｏ−ｈｏｌｅｓ  ｐｕｎｃｈ）などを含むことができる。
【００２８】
望ましくは、多孔性材料（たとえば、ニチノール）は、少なくとも約５％、典型的には少なくとも約１５％、好ましくは少なくとも約２５％、より好ましくは少なくとも約３５％（たとえば、少なくとも約４５％）の多孔度を有する。さらに、多孔性材料は、約９５％未満、典型的には約９０％未満、好ましくは８５％未満、より好ましくは約８０％未満（たとえば、約７５％未満）の多孔度を有することができる。たとえば、多孔性材料は、約５％〜約９５％、典型的には約１５％〜約９０％、好ましくは約２５％〜約８５％、より好ましくは約３５％〜約８０％（たとえば、約４５％〜約７５％）の範囲の多孔度を有することができる。異なる形で表現すると、多孔性材料は、約２０％〜約６５％の間、より好ましくは２５％〜５５％の間の金属の表面積または割合を有することが好ましい。
【００２９】
歯内治療用器具は、螺旋を含むこと、および／または螺旋を伴わない円錐形の設計とすること、および／または可変のテーパを有することが可能である。多孔性ニチノールを含む、または多孔性ニチノールで構成される歯内治療用器具の断面は、円形、楕円形、正方形、長方形、菱形、平行四辺形、星形の設計とすること、または凹面を含むことができる。断面は、質量中心に回転軸を有すること、または質量中心に対して中心を外れた回転軸を有することができる。
【００３０】
これまでに開示した本発明によって、歯内治療用器具の設計およびＲＣＴに関連する問題の多くを解決することができる。まず、従来の螺旋状の設計物と比べて多孔性の面を提供する面の量はずっと多く、結果として、切削の効率が高まる。表面積または歯管の壁との接触が増加することによって、スメア層の形成も低減される。ＲＣＴの間に材料が孔の中に蓄積する可能性があるため、多孔性の歯内治療用器具（たとえば、ファイル）または表面をコーティングした多孔性の歯内治療用器具は、材料の生物学的な輸送への依存をより小さくしなければならない。多孔性ニチノールの器具が歯管の中でつかえた状態になり、取り出すことができなくなった場合、多孔性ニチノールは、ヒドロキシアパタイトまたは骨を形成することが知られている。これにより、歯根管の尖端領域が封止される。
【００３１】
最後に、多孔性ニチノールで構成された、または多孔性ニチノールでコーティングされた歯内治療用ファイルは、従来のニチノールから同様に設計された歯内治療用ファイルより質量が小さくなる。これにより、サイクル疲労および可撓性が改善される。
【００３２】
本発明は、多孔性の開始（未加工）構造体から歯内治療用器具を形成することを企図している。図３に示す一具体例では、多孔性ワイヤ３０が提供される。望ましくは、ワイヤ３０は、細長い円筒形の構造体として成形することができる；しかしながら、他の開始構造体も企図される。図４〜５に示すように、多孔性の開始構造体は、その周りの様々な位置に提供された１つまたはそれ以上の開口部３２を含む。開口部３２は、構造体周りの同じ間隔を置いた位置、または可変の間隔を置いた位置に配置することができる。さらに、開口部３２は、同じもしくは異なる形状および／またはサイズで提供することが可能であることを理解されたい。望ましくは、多孔性の開始構造体は、全体を通してほぼ均一に分散した開口部３２を含むことができるが、それは必要ではない。図５に示すように、多孔性ワイヤ３０から（本明細書に記載される）製造プロセスによって成形された歯内治療用器具４０が提供される。この具体例では、開口部３２の（たとえば、外面に沿った）縁部は、歯（たとえば、歯根管）を清浄化／成形するための切れ刃３４として働く。
【００３３】
図６〜７は、ハイブリッド型の歯内治療用器具５０を提供する、本発明の別の実施形態の少なくとも１つの例を示している。ハイブリッド型の器具５０は、近位端５２、近位端部分５４、遠位端（たとえば、先端）５６、近位端部分５４から遠位端５６へ延びるテーパ形の加工部分５８、および器具の軸５７を含むことができる。加工部分５８は、中間部分６０および遠位端部分６２を含む。一具体例において、中間部分６０は、開口部６６および全体的に格子型の構造体を画成する少なくとも２つの（螺旋状の）切れ刃６４を含むことができる。望ましくは、中間部分は実質的に中空であり、少なくとも２つの切れ刃６４の間に延びる内部支持体６８（図７）をさらに含む。遠位端部分は、中間部分６０から延び、少なくとも２つの螺旋形の縦溝７０を含むことができ、縦溝７０は、テーパが付いた部分として形成され、少なくとも２つの第２の切れ刃７２を画成することができる。第２の切れ刃７２は、切れ刃６４から延びるようにすること、または切れ刃６４とは別個にすることができる。望ましくは、遠位端部分６２には実質的に開口部６６がなく、それによって、多孔性材料または非多孔性材料の実質的に中実な（切削）部分を形成することができる。
【００３４】
切れ刃６４および／または内部支持体６８は、少なくとも約１ミクロン（たとえば、２５ミクロン）、典型的には少なくとも約５０ミクロン、好ましくは少なくとも約１００ミクロンの幅／厚さを含むことができる（たとえば、直径など）。さらに、切れ刃６４および／または内部支持体６８は、約１０００ミクロン未満（たとえば、８００ミクロン）、典型的には約６００ミクロン未満、好ましくは約５００ミクロン未満、より好ましくは１５０ミクロン未満とすることが可能であることを理解されたい。たとえば、切れ刃６４および／または内部支持体６８は、約１ミクロン〜約１０００ミクロン（たとえば、約２５ミクロン〜約８００ミクロン）、典型的には約５０ミクロン〜約６００ミクロン、好ましくは約１００ミクロン〜約５００ミクロンの範囲の幅／厚さを含むことができる。
【００３５】
図８〜９は、テーパ形の歯内治療用器具５０ｂを提供する、本発明の別の例を示している。この具体例では、中間部分６０ｂの切れ刃６４ｂは、遠位端部分６２ｂへ続き、それを経て先端５６ｂに至る。望ましくは、中間部分と遠位端部分はどちらも実質的に中空であり、全体にわたって開口部６６ｂを有する。切れ刃６４ｂは、器具の軸５７ｂに向かってテーパが付いた加工部分に沿って先端５６ｂまで延びる。先端５６ｂには実質的に開口部がなく、それによって、多孔性材料または非多孔性材料の実質的に中実な（切削）部分を形成することができる。
【００３６】
図１０〜１１は、（全体的に歯内治療用器具４０と同様の形状を有する）歯内治療用器具５０ｃを形成するための多孔性（未加工材料）構造体７４を提供する、本発明の別の実施形態を示している。一具体例において、多孔性構造体７４は、歯内治療用ファイルなどの歯内治療用器具を形成するための多孔性ワイヤとすることができる。多孔性構造体は、多孔性材料および／または非多孔性材料で形成することができる。開口部６６ｃは、任意の様々な幾何学的形状として提供することができ、幾何学的形状は、全体を通して同じもしくは異なるサイズの同じ形状または異なる形状とすることができる。一具体例において、開口部６６ｃは、全体的にハニカム格子型の構造体（たとえば、ハニカム構造体）を画成するように、六角形状で全体的に同じサイズのものとすることができる。６６ｃの１つまたはそれ以上が器具の軸５７ｃに対して（少なくとも部分的または完全に）半径方向に延びることを理解されたい。さらに、多孔性構造体７４は、１つまたはそれ以上の内部支持体６８ｃによって隔てられた１つまたはそれ以上の層を含み、それによって、長手方向および／または半径方向の開口部が画成されることを理解されたい。開口部は、含まれる場合には、（半径方向に）整列すること、または層ごとに（長手方向に器具の軸に平行に）オフセットすることが可能である。その後、本明細書に記載される製造プロセスによって、多孔性の（開始）構造体７４を成形して歯内治療用器具を形成することが可能であることを理解されたい。
【００３７】
図１２は、歯内治療用器具５０ｄおよび歯内治療用器具５０ｅを提供する、本発明の別
の実施形態を示している。歯内治療用器具５０ｄおよび５０ｅは、本明細書に記載されるように、多孔性材料から形成すること、および／または多孔性コーティングでコーティングすることができる。歯内治療用器具５０ｄの構造は全体的に対称とし、それによって中央に配置された回転軸５７ｄを有することができ、したがって、第１の断面７６ｄ（たとえば、Ａ−Ａ、Ｂ−Ｂおよび／またはＣ−Ｃ）は、全体的に回転軸５７ｄのまわりに位置する質量中心７８ｄ（重心）を有するが、これと比べて、歯内治療用器具５０ｅの構造は全体的に非対称とし、それによって、第２の断面７６ｅ（たとえば、Ｄ−Ｄ、Ｅ−Ｅおよび／またはＦ−Ｆ）内で回転軸５７ｅのまわりに位置しない第２の質量中心７８ｅ（重心）を有することができることを理解されたい。より詳細には、この第１の幾何学的形状（５０ｄ）を対称とし、第２の幾何学的形状（５０ｅ）を非対称として、第１の断面７６ｄが先端部よりシャンクの端部に近くなるようにすることができると考えられる。第１の断面は、第２の断面と異なる数の加工面を有することができる。第２の断面７６ｅでは、第２の重心７８ｅを回転軸からオフセットすることができる。第１の幾何学的形状および第２の幾何学的形状は、異なる数の加工面を含むことができる。本体は可撓性があるようにすることができる。本体は十分に可撓性があり、したがって、本体が回転または往復運動するときに本体の先端が決められた位置で拘束されると、本体の第２の断面と交わる部分が、第１の回転角度および第２の回転角度で実質的に等しい量だけ回転軸から離れるように曲がる。第１の回転角度は、第２の回転角度から１８０°とすることができる。第２の断面７６ｅは、それぞれの回転角度で実質的に等しい量だけ回転軸５７ｅから離れるように曲がることができる。本体の先端が決められた位置で拘束され、本体が回転するとき、本体の傾がない部分（ｎｏｎ−ｓｗａｇｇｅｒｉｎｇ  ｐｏｒｔｉｏｎ）は、実質的に回転軸５７ｄ上にあって少なくとも１つの加工面と交わる重心７８ｄを有することができる。少なくとも１つの加工面は、切削用の縦溝を含むことができる。本体の先端は、切削面を有していないことがある。回転軸と交わる断面では、質量中心を回転軸からオフセットすることができる。加工面は、材料の歯管の中で本体を回転または往復運動させるときに材料を除去するように構成することができる。本体の先端を適所に保持し、本体を回転または往復運動させるとき、本体の少なくとも一部が螺旋状の起伏を形成することができる。
【００３８】
製造
金属ワイヤが適切なファイルの設計によって研削された、従来のニチノールのファイルにより多孔性の金属ファイルを製造することができる。この場合、多孔性金属ベースのワイヤが研削される。また、従来のニチノールワイヤをエッチングして多孔性材料を形成することも可能である。多孔性ファイルは、たとえば金属の３Ｄ印刷などの付加製造技法、または表面コーティングを利用することによって製造することも可能である。
【００３９】
多孔性材料、および／または多孔性材料の製造方法の例は、それだけに限らないが、すべての目的のために参照によって本明細書に組み入れる、Ｐｏｒｏｕｓ  ＮｉＴｉ  ｆｏｒ  ｂｏｎｅ  ｉｍｐｌａｎｔｓ：Ａ  ｒｅｖｉｅｗ、（Ｂａｎｓｉｄｄｈｉ、Ｓａｒｇｅａｎｔ、ＳｔｕｐｐおよびＤｕｎａｎｄ）に記載されるものを含むことができる。
【００４０】
別の実施形態において、本発明は、フライス加工（ｍｉｌｌｉｎｇ）、旋削、研削、レーザ切削、光化学的機械加工などの従来の製造技法を用いる限り困難を有していた、様々な回転式ファイルの設計および／または未加工材料を提供することができる。有利には、３Ｄ印刷、光造形法（Ｒａｐｉｄ  Ｐｒｏｔｏｔｙｐｉｎｇ）などとして知られる付加製造技術および／または周知の付加技術を用いて、こうした困難を実質的に軽減するまたは排除することができる。
【００４１】
多孔性の開始構造体および／もしくは歯内治療用器具の製造ならびに／または成形は、周知の形成プロセスによって達成することができる。そうした形成プロセスの例は、それだけに限らないが、３Ｄ印刷、付加製造、および金属射出成形を含む。３Ｄ印刷および付加製造は、デジタルモデルによる実質的に任意の形状から３次元の固体物を作るプロセスである。３Ｄ印刷は、材料の連続層を異なる形状で形成する付加プロセスを用いて達成される。３Ｄ印刷は、主にフライス加工、穿孔、研削などの方法による材料の除去に依拠する従来の機械加工技法（サブトラクティブプロセス（ｓｕｂｓｔｒａｃｔｉｖｅ  ｐｒｏｃｅｓｓ））とは異なるとも考えられる。異なるタイプの付加プロセスがあるが、選択的レーザ溶融、直接金属レーザ焼結、選択的レーザ焼結および熱溶融積層法（ｆｕｓｅｄ  ｄｅｐｏｓｉｔｉｏｎ  ｍｏｌｄｉｎｇ）など、そのいくつかは、層を作製するために材料を溶融または軟化させ、ステレオリソグラフィなどの他のプロセスは、液体材料を硬化させる。
【００４２】
３Ｄ印刷された回転式ファイルを有することの１つの利点は、解剖学的構造にありながら様々な機能を達成することが可能な製品を作る際の設計の自由を可能にすることにあると考えられる。たとえば、図６はハイブリッド型の設計を示しているが、歯内治療用器具は、尖端で（ａｐｉｃａｌｌｙ）歯根管を成形して、洗浄剤（ｉｒｒｉｇａｎｔ）が尖端で歯管を完全に清浄化することを可能にし、閉塞のための形状を提供することができ、一方、歯根中央側および歯冠側では、歯内治療用器具を、自然の解剖学的構造に適応することを可能にするために、拡張することおよび折り畳むことが可能である。この設計において、３Ｄプリンタは、尖端に中実な金属ブランクを、設計物の残りの部分にステントタイプの設計物を印刷することができる。次いで、従来型の研削プロセスを用いて、尖端に従来のファイルの設計を可能にする鋭い縁部および縦溝を作成することができる。
【００４３】
３Ｄ印刷技術を用いる別の方法は、内部で構造体の支持を可能にすることである。たとえば、図７には、ステントの設計物の構造を支持する内部ストラットの一例が示されている。構造的に設計物を支持する他の代替形態は、支持を高めることまたは可撓性を高めることを可能にするように、異なるステント片の幅および厚さを変えることである（支持体を厚くすると剛性が高まり、支持体を薄くするとより高い可撓性が提供される）。
【００４４】
図８は、テーパ形の歯内治療用器具（たとえば、ステントファイル）を印刷することができる一例を示している。一具体例では、レーザ切削によって管状のステント設計物を成形することができる。管状の設計物を有することによって、設計物に最初にテーパを付けられなくなり、歯管の尖端側に適応するにはより大きく加圧しなければならないため、ステント設計物には尖端でより高い応力が生じる。３Ｄ印刷されたテーパ形のステント型設計物を有することにより、直径が小さくなって必要な加圧が小さくなるため、歯内治療用器具が尖端で低減された応力を有することが可能になる。図９は、こうしたタイプの設計物の拡大図を示しており、切削用の先端を閉じ／接合し、歯内治療用器具が、すべての目的のために参照によって本明細書に組み入れる米国特許第７，７１３，０５９号に記載される開放端／中空の先端の設計物に対して、尖端でより高い構造上の支持を有することを可能にすることができる。
【００４５】
図１０および１１は、３Ｄ印刷を用いてどのように未加工材料を作成することができるかを示し、また多孔性の面を有するブランクワイヤを有している。その場合、多孔性の未加工材料を、完成した回転式ファイルとして所望される先端およびテーパに研削することができる。このタイプの設計物の利点は、この場合、ファイルがより小さいコア質量（ｃｏｒｅ  ｍａｓｓ）を有し、それが可撓性およびサイクル疲労耐性を高めることにある。また、粗い表面が提供され、ならびに切削材料用の空間が機能することが可能になる。未加工材料の実施形態のための設計物の代替的なタイプは多数あるが、内部の波形ワイヤ、ランダム空孔のワイヤ、中空のテーパ形ワイヤなどを含むことができる。
【００４６】
多くの付加製造技法、およびこうした付加製造技法に用いられる多くの異なるタイプの材料が存在する。好ましくは、こうした設計物は金属材料から製造されるが、技術が発展すると、プラスチックから印刷することも可能になるであろう。直接金属レーザ焼結、電子ビーム溶融などを含む、いくつかのタイプの金属の３Ｄ印刷技術が存在する。こうした技術と共に利用可能な材料は：コバルト、クロム、チタン、インコネル、ニッケル、アルミニウム、ステンレス鋼、鋼などを含む。筆者の知るところでは、ニッケルチタンは、現在のところこうした技術と共に利用できる材料ではないが、こうした技術によって部品を製造する際の論点にはならないと思われる。
【００４７】
本発明は以下の組み合わせの１つまたはそれ以上を参照して記述することも可能であることを理解することができる。
【００４８】
歯根管を清浄化／成形するための回転可能な歯内治療用ファイルであって：近位端部分と遠位端と、外面および回転軸を有するテーパ形の加工部分とを有する細長い軸を含み、加工部分は、前記近位端部分から前記遠位端へ延び；前記軸の加工部分の外面が、複数の少なくとも２つの螺旋体、およびファイルが多孔性金属で構成された幾何学的な断面を有する、歯内治療用器具。
【００４９】
歯根管を清浄化／成形するための回転可能な歯内治療用ファイルであって：近位端部分と遠位端と、外面および回転軸を有するテーパ形の加工部分とを有する細長い軸を含み、加工部分は、前記近位端部分から前記遠位端へ延び；前記軸の加工部分の外面が、螺旋体を有さず、ファイルが多孔性金属で構成された幾何学的な断面を有する、歯内治療用器具。
【００５０】
歯根管を清浄化／成形するための回転可能な歯内治療用ファイルであって：近位端部分と遠位端と、外面および回転軸を有するテーパ形の加工部分とを有する細長い軸を含み、加工部分は、前記近位端部分から前記遠位端へ延び；前記軸の加工部分の外面が、複数の少なくとも２つの螺旋体、およびファイルが多孔性金属でコーティングされた幾何学的な断面を有する、歯内治療用器具。
【００５１】
歯根管を清浄化／成形するための回転可能な歯内治療用ファイルであって：近位端部分と遠位端と、外面および回転軸を有するテーパ形の加工部分とを有する細長い軸を含み、加工部分は、前記近位端部分から前記遠位端へ延び；前記軸の加工部分の外面が、螺旋体を有さず、ファイルが多孔性金属でコーティングされた幾何学的な断面を有する、歯内治療用器具。
【００５２】
歯根管を清浄化／成形するための回転可能な歯内治療用ファイルであって：近位端部分と遠位端と、外面および回転軸を有するテーパ形の加工部分とを有する細長い軸を含み、加工部分は、前記近位端部分から前記遠位端へ延び；前記軸の加工部分の外面が、複数の少なくとも２つの螺旋体、およびファイルが多孔性金属を形成するようにエッチングされた幾何学的な断面を有する、歯内治療用器具。
【００５３】
歯根管を清浄化／成形するための回転可能な歯内治療用ファイルであって：近位端部分と遠位端と、外面および回転軸を有するテーパ形の加工部分とを有する細長い軸を含み、加工部分は、前記近位端部分から前記遠位端へ延び；前記軸の加工部分の外面が、螺旋体を有さず、ファイルが多孔性金属を形成するようにエッチングされた幾何学的な断面を有する、歯内治療用器具。
【００５４】
多孔性金属が、ニチノールベースの材料、銅ベースの材料、チタンベースの材料またはステンレス鋼ベースの材料で構成される、歯内治療用ファイル。
【００５５】
材料が、高温、低温および／またはひずみによって処理される、歯内治療用ファイル。
【００５６】
断面の質量中心（重心）が回転軸に位置するように中心に定められた回転軸を有する、歯内治療用ファイル。
【００５７】
質量中心（重心）が回転軸に位置しないように非対称である回転軸を有する、歯内治療用ファイル。
【００５８】
研削プロセスによって製造される歯内治療用ファイル。
【００５９】
付加製造プロセスによって製造される歯内治療用ファイル。
【００６０】
３Ｄ印刷などの付加製造プロセスまたはコーティング技法によって製造される歯内治療用ファイル。
【００６１】
エッチング製造プロセスによって製造される歯内治療用ファイル。
【００６２】
本明細書に記載される本発明は、多くの他の利点を有する。歯内治療用器具は、単一の連続する流路を有することができ、それによって、可能性のある漏れ経路が排除される。固有応力の集中を低減する、または実質的に排除することができ、それによって、振動中、先端および／または遠位端部分を信頼性のあるものにすることが可能になる。先端および／または遠位端部分の構成は、運動面内で超音波振動およびエネルギーを案内および伝達し、それによって洗浄剤に適切な攪拌が与えられる。先端組立体は、使い捨てにすることも可能であり、それによって患者ごとに新しい先端組立体を使用することが必要になり、先端組立体は使用前に確実に滅菌した状態になる。
【００６３】
別段明示的に述べられていない限り、（任意の添付の特許請求の範囲、要約および図面を含む）本明細書において開示される各機能を、同じ、等価なまたは類似の目的を有する代替的機能によって置き換えることができる。したがって、別段明示的に述べられていない限り、開示される各機能は、一般的な一連の等価なまたは類似の機能の一例にすぎない。
【００６４】
本明細書では、本発明の好ましい実施形態を図示および記載してきたが、そうした実施形態は、例示のためにのみ示されていることが当業者には明らかになるであろう。本発明から逸脱することなく、当業者には多くの変形、変更および置換が明らかになるであろう。本発明について他に予測される実施形態または使用は、水晶体超音波液化吸引（ｐｈａｃｏｅｍｕｌｓｉｆｉｃａｔｉｏｎ）の分野における本発明の使用を含み、本発明のような先端組立体は、多くの利点をもたらすことができる。したがって、本発明は、添付の特許請求の範囲の範囲によってのみ制限されることが意図される。
【図１】
0006617103.tif 000002
【図２】
0006617103.tif 000003
【図３】
0006617103.tif 000004
【図４】
0006617103.tif 000005
【図５】
0006617103.tif 000006
【図６】
0006617103.tif 000007
【図７】
0006617103.tif 000008
【図８】
0006617103.tif 000009
【図９】
0006617103.tif 000010
【図１０】
0006617103.tif 000011
【図１１】
0006617103.tif 000012
【図１２】
0006617103.tif 000013